(57)【要約】      （修正有）【課題】使用者の端末と水槽の間の相互通信を構築し、飼い主がクラウドを通じてスマートデバイスの画面上で魚を鑑賞し、世話もできるスマートクラウドインタラクティブアクアリウム装置を提供する。【解決手段】アクアリウム装置１０は、水槽に設置され、クラウドサーバ４０に接続し、クラウドサーバを通じて電子デバイス４２と通信し、水槽内の画像を取得する画像取得装置１２と、自動的または電子デバイスからの給餌コマンドに基づいて水槽内に餌を投入する給餌ユニット１４２を含む周辺制御装置１４と、前述のすべての装置に接続してそれらの動作を制御する処理モジュール１６と、このアクアリウム装置とクラウドサーバまたは電子デバイスを相互通信させ、またはクラウドサーバを通じて電子デバイスと通信し、画像やデータ等をクラウドサーバに伝送して保存し、クラウドサーバを通じてコマンドを処理モジュールに送信する無線通信モジュール１８と、を含む。【選択図】図１
0003202317.tif 000002
【実用新案登録請求の範囲】
【請求項１】
水槽に設置され、少なくとも１つのクラウドサーバに接続し、前記クラウドサーバを通じて電子デバイスと相互通信するスマートクラウドインタラクティブアクアリウム装置であって、
前記水槽内の画像を取得する画像取得装置と、
自動的に、または前記電子デバイスからの少なくとも１つの給餌コマンドに基づき、前記水槽内に餌を投入する給餌ユニットを含む少なくとも１つの周辺制御装置と、
前記画像取得装置および前記周辺制御装置に接続し、それらの装置の動作を制御する処理モジュールと、
前記処理モジュールに接続して前記スマートクラウドインタラクティブアクアリウム装置と前記クラウドサーバを相互通信させ、または前記クラウドサーバを通じて前記電子デバイスと通信し、前記画像取得装置が取得した画像を前記クラウドサーバに伝送して保存するとともに、前記クラウドサーバを通じて少なくとも１つのコマンドを前記処理モジュールに送信する無線通信モジュールと、を含む、
スマートクラウドインタラクティブアクアリウム装置。
【請求項２】
前記給餌ユニットは、前記処理モジュール中の設定または前記電子デバイスの遠端リモートコントロールにより、餌の投入時間および餌の量を制御する、請求項１に記載のスマートクラウドインタラクティブアクアリウム装置。
【請求項３】
前記給餌ユニットはさらに、餌を投入する前に発光して魚をおびき寄せる発光素子を備える、請求項１に記載のスマートクラウドインタラクティブアクアリウム装置。
【請求項４】
前記給餌ユニットは、餌の湿度を測定するとともに、湿度が高くなると加熱を開始して除湿する湿度測定加熱素子をさらに備える、請求項１に記載のスマートクラウドインタラクティブアクアリウム装置。
【請求項５】
前記周辺制御装置は、前記給餌ユニットと置き換え可能で、少なくとも１匹の幼魚を収容して前記水槽内の他の魚から隔離する幼魚飼育ボックスをさらに含む、請求項１に記載のスマートクラウドインタラクティブアクアリウム装置。
【請求項６】
前記周辺制御装置は、前記給餌ユニットと置き換え可能で、前記水槽内で水草を育成する水草育成部材をさらに含む、請求項１に記載のスマートクラウドインタラクティブアクアリウム装置。
【請求項７】
前記周辺制御装置は、前記給餌ユニットと置き換え可能で、前記水槽内の景観造りに用いられるデコレーション部材をさらに含む、請求項１に記載のスマートクラウドインタラクティブアクアリウム装置。
【請求項８】
前記処理モジュールと接続し、前記水槽に設置される複数のカラー発光素子を備え、前記電子デバイスを利用して発光色、点滅速度、点滅回数およびオン／オフを設定する照明効果装置、をさらに含む、請求項１に記載のスマートクラウドインタラクティブアクアリウム装置。
【請求項９】
前記電子デバイスは、音を発して前記照明効果装置の発光をリモートコントロールし、または音楽を再生して前記照明効果装置の発光および点滅を制御する、請求項８に記載のスマートクラウドインタラクティブアクアリウム装置。
【請求項１０】
前記処理モジュールに接続し、前記水槽の水温を監視するのに用いられるとともに、前記クラウドサーバを通じて前記水温を前記電子デバイスに自動的に伝送して飼い主に通知する水温監視制御装置、をさらに含む、請求項１に記載のスマートクラウドインタラクティブアクアリウム装置。
【請求項１１】
前記水温監視制御装置は、水温を自動的に上げ下げできる温度制御素子を備える、請求項１０に記載のスマートクラウドインタラクティブアクアリウム装置。
【請求項１２】
前記処理モジュールに接続し、前記水槽内の水質状況を監視するのに用いられる水質監視装置、をさらに含む、請求項１に記載のスマートクラウドインタラクティブアクアリウム装置。
【請求項１３】
前記水質監視装置はｐＨ値、溶存酸素量、導電率、残留塩素の数値を測定するとともに前記クラウドサーバにアップロードする、請求項１２に記載のスマートクラウドインタラクティブアクアリウム装置。
【請求項１４】
水質監視装置が測定した溶存酸素量が過少である時は自動的に起動してエアーの供給を行い、溶存酸素量が正常値になると自動停止するエアーポンプ、をさらに含む、請求項１２に記載のスマートクラウドインタラクティブアクアリウム装置。
【請求項１５】
前記処理モジュールに接続し、前記クラウドサーバを通じて壁紙画像を受信した後、前記水槽の一面上に前記壁紙画像を投影する仮想背景投影装置、をさらに含む、請求項１に記載のスマートクラウドインタラクティブアクアリウム装置。
【請求項１６】
前記仮想背景投影装置はピコプロジェクターである、請求項１５に記載のスマートクラウドインタラクティブアクアリウム装置。
【請求項１７】
前記処理モジュールと接続し、前記水槽上で少なくとも１つのレーザー光スポットを移動させるのに用いられるレーザー光スポット照射装置、をさらに含む、請求項１に記載のスマートクラウドインタラクティブアクアリウム装置。
【請求項１８】
前記レーザー光スポット照射装置は、前記電子デバイスにより起動され、かつレーザー光スポットの照射方向が操作される、請求項１７に記載のスマートクラウドインタラクティブアクアリウム装置。
【請求項１９】
前記処理モジュールと接続するスマートコンセント差込口であって、前記スマートコンセント差込口上で少なくとも１つの外付素子に接続すると、前記クラウドサーバを通じて前記外付素子のオン／オフまたは動作を制御できるスマートコンセント差込口、をさらに含む、請求項１に記載のスマートクラウドインタラクティブアクアリウム装置。
【請求項２０】
前記外付素子は照明装置、エアーポンプ、ヒーター、ムードライトまたはエアレーション器具である、請求項１９に記載のスマートクラウドインタラクティブアクアリウム装置。
【請求項２１】
タップ電源に接続して前記スマートクラウドインタラクティブアクアリウム装置に必要な電力を供給する電源装置、をさらに含む、請求項１に記載のスマートクラウドインタラクティブアクアリウム装置。
【請求項２２】
前記処理モジュールに接続し、前記電源装置が電力を供給できないときに前記処理モジュールが自動的に電源供給源を切り替えるためのバックアップ電源システム、をさらに含む、請求項２１に記載のスマートクラウドインタラクティブアクアリウム装置。
【考案の詳細な説明】
【技術分野】
【０００１】
本考案は水槽を遠端リモートコントロールする装置に関し、特に、スマートクラウドインタラクティブアクアリウム装置に関する。
【背景技術】
【０００２】
現代人の生活リズムは張りつめていて忙しいため、多くの人が共に過ごしてくれる仲間を求め、ペットを飼っている。しかし、一般的なペットである猫や犬等は子供を育てるのと同様に労力も気力もかなり必要なので、代わりに水槽で魚や亀等を飼育する人々もいる。このような生物の飼育は共に過ごす仲間ができるだけでなく、水槽はインテリアのような役割を果たし、かつ風水的角度から見れば、室内の活気増加や金運アップ等の長所も有する。
【０００３】
魚の飼育は犬猫の飼育より簡単ではあるが、魚は弱い生き物であり、環境の僅かな変化で病気になったり死んだりする。そのため魚の飼育には、水温、水質の維持や定時に定量の餌を投入する等の細かい作業を要し、ミスは許されない。しかし、飼い主が２日以上家を留守にする場合、水槽を持って出るわけにもいかず、餌をやる人もいないので、困ったことになる。
既存の自動循環浄水の装置は水槽に取り付けることができるが、価格が高く、体積も大きいので、水槽にさらに他の機能を有する装置を取り付けるのは難しい。自動給餌に関しては、特許文献１で魚飼育用の水槽に使用する自動給餌装置が開示されているが、これは送風機を使用して内部と外部の圧力差を利用することにより餌を吹き出すものであり、この送風機はネットワーク接続機能が無いので、人が制御する必要があり、飼い主が留守時に餌をやる人がいないという難題を解決することはできない。
【０００４】
したがって、本考案はスマートクラウドインタラクティブアクアリウム装置を提案する。具体的な構造およびその実施方法については以下に詳述する。
【先行技術文献】
【特許文献】
【０００５】
【特許文献１】台湾特許公告第２８３６２３号明細書
【考案の概要】
【考案が解決しようとする課題】
【０００６】
本考案の主な目的は、使用者の端末と水槽の間の相互通信を構築し、飼い主がクラウドを通じてスマートデバイスの画面上で魚を鑑賞するとともに、世話もできる、スマートクラウドインタラクティブアクアリウム装置を提供することである。
【０００７】
本考案のさらなる目的は、定時に定量の餌を投入し、またはスマートデバイスで遠端からコマンドを送信し、クラウドサーバを通じて水槽の給餌ユニットを制御して自動的に餌を投入することで、飼い主が長時間不在でも魚の世話や餌やりができるので、餌をやる人がいないために魚が病気になり餓死に至る事態を回避する、スマートクラウドインタラクティブアクアリウム装置を提供することである。
【課題を解決するための手段】
【０００８】
上述の目的を達成するための本考案が提供するスマートクラウドインタラクティブアクアリウム装置は、水槽に設置され、少なくとも１つのクラウドサーバに接続するとともに、クラウドサーバを通じて電子デバイスと通信できる。
スマートクラウドインタラクティブアクアリウム装置は、水槽内の画像を取得する画像取得装置と、自動的または電子デバイスからの給餌コマンドに基づいて水槽内に餌を投入する給餌ユニットを含む少なくとも１つの周辺制御装置と、前述のすべての装置に接続してそれらの動作を制御する処理モジュールと、このスマートクラウドインタラクティブアクアリウム装置とクラウドサーバまたは電子デバイスを相互通信させ、画像取得装置が取得した画像データ等をクラウドサーバに伝送して保存するとともに、クラウドサーバを通じて少なくとも１つのコマンドを処理モジュールに送信する無線通信モジュールと、を含む。
【０００９】
本考案はさらに、餌の湿度の測定に用いられるとともに、湿度が高くなると加熱を開始して除湿することで餌が湿気るのを防ぐ、湿度測定加熱素子を提供する。
【００１０】
本考案はさらに、給餌ユニットと置き換え可能で、幼魚を収容して水槽内の他の魚から隔離し、大きな魚に食べられないように成長過程の幼魚を保護する、幼魚飼育ボックスを提供する。
【００１１】
本考案はさらに、水槽に設置される複数のカラー発光素子を備え、発光色、点滅速度、点滅回数およびオン／オフを設定でき、発光および点滅は音楽のリズムによって制御できる、照明効果装置を提供する。
【００１２】
本考案はさらに、水温をモニタリングした結果をクラウドサーバを通じて飼い主に通知し、飼い主がどこでも随時水槽の水温状態を把握できるようにするとともに、水温の正常状態が維持されるように自動調整できる、水温監視制御装置を提供する。
【００１３】
本考案はさらに、水槽内の水質状況を監視し、その状況をクラウドサーバを通じて遠端の飼い主に伝送し、飼い主が水槽内の水質データを随時把握するのに用いられる、水質監視装置を提供する。
【００１４】
本考案はさらに、クラウドサーバを通じて壁紙画像を受信した後、水槽の一面上に壁紙画像を投影することで、水槽の背景画面を形成して景観を美化する、仮想背景投影装置を提供する。
【００１５】
本考案はさらに、水槽上で少なくとも１つのレーザー光スポットを移動させて魚と遊び、魚と交流するのに用いられる、レーザー光スポット照射装置を提供する。
【００１６】
本考案はさらに、元の電源装置が電力を供給できない場合に自動的に電源供給源を切り替えて、停電時にエアーポンプが動作を停止して魚が酸素不足に陥るのを防ぐための、バックアップ電源システムを提供する。
【考案の効果】
【００１７】
本考案が提供するスマートクラウドインタラクティブアクアリウム装置は、クラウドサーバを通じて使用者の端末と水槽の間の相互通信を構築し、飼い主がクラウドを通じてスマートデバイスの画面上で魚を鑑賞するとともに、世話もできる。このため、飼い主の外出時に餌やりや世話をする人がいないことを心配する必要がなく、また飼い主はクラウドサーバを通じて、同様にスマートクラウドインタラクティブアクアリウム装置を設置している他のユーザと自分の家の中の水槽と魚のリアルタイム画像をシェアすることができ、人と魚や、人と人との交流をもたらす効果も有する。
【図面の簡単な説明】
【００１８】
【図１】本考案のスマートクラウドインタラクティブアクアリウム装置がクラウドサーバを通じてと電子デバイスと接続することを示すブロック図。
【図２】本考案のスマートクラウドインタラクティブアクアリウム装置の水槽上での実施例を示す図。
【考案を実施するための形態】
【００１９】
本考案の目的、技術内容、特徴および達成される効果をさらに容易に理解するため、以下に実施例を用いながら具体的に詳細を説明する。
【実施例】
【００２０】
本考案が提供するスマートクラウドインタラクティブアクアリウム装置は、水槽に取り付けられ、少なくとも１つのクラウドサーバに接続するとともに、クラウドサーバを通じて電子デバイスと通信でき、飼い主が外出先でも家の中の魚を鑑賞でき、かつ魚とインタラクティブに係わることができる。
【００２１】
本考案のスマートクラウドインタラクティブアクアリウム装置１０がクラウドサーバ４０を通じて電子デバイス４２と接続することを示すブロック図である図１を参照されたい。スマートクラウドインタラクティブアクアリウム装置１０は水槽（図中未表示）に取り付けられ、画像取得装置１２、少なくとも１つの周辺制御装置１４、処理モジュール１６および無線通信モジュール１８を含む。
画像取得装置１２はカメラ、ビデオカメラまたは小型ビデオカメラのような画像取得装置であり、水槽内の画像を取得するのに用いられ、画像取得装置１２は自由に角度を変えることができる。周辺制御装置１４は給餌ユニット１４２を含み、処理モジュール１６中の設定を利用して自動的に餌を水槽内に投入し、または電子デバイス４２が遠端からのリモートコントロールで給餌コマンドを入力すると、電子デバイス４２の給餌コマンドに基づいて餌を水槽内に投入し、給餌ユニット１４２の餌投入時間および餌の量を制御する。
処理モジュール１６はスマートクラウドインタラクティブアクアリウム装置１０中のすべての装置に接続してそれらの動作を制御する。無線通信モジュール１８はスマートクラウドインタラクティブアクアリウム装置１０とクラウドサーバ４０または電子デバイス４２を通信させ、画像取得装置１２が取得した画像データ等をクラウドサーバ４０に伝送して保存するとともに、クラウドサーバ４０を通じて少なくとも１つのコマンドを処理モジュール１６に送信する。コマンドは電子デバイス４２によりすぐに送信することもできるし、あらかじめクラウドサーバ４０中に記憶され、所定の時間になってから処理モジュール１６に伝送することもできる。
【００２２】
飼い主はクラウドサーバ４０を通じて、同様にスマートクラウドインタラクティブアクアリウム装置１０を設置しているその他のユーザーと互いに自分の家の水槽と魚のリアルタイム画像をシェアすることもできる。
【００２３】
給餌ユニット１４２は、餌を投入する前に発光して魚群を光の当たるスポット付近におびき寄せるための発光素子１４３を備える。このように餌が投入されたことを魚に知らせることで、餌投入後に餌が長時間食べられずに腐ってしまい水質に影響する事態を回避でき、また飼い主が遠端から家の中の魚の餌摂取状況を見ることもできる。給餌ユニット１４２は、餌の湿度を測定するとともに湿度が高くなると自動的に加熱を開始して除湿することで餌が湿気るのを防ぐ湿度測定加熱素子をさらに備える。
【００２４】
周辺制御装置１４は、給餌ユニット１４２と置き換え可能な幼魚飼育ボックス１４５をさらに含む。少なくとも１匹の幼魚をこの幼魚飼育ボックス１４５に収容して水槽内の他の魚から隔離することで、大きな魚に食べられないように成長過程の幼魚を保護でき、また隔離後に単独で幼魚に餌をやることができるので、餌がすべて大きな魚に食べられてしまって幼魚に行き渡らないという問題の発生を回避できる。
【００２５】
周辺制御装置１４は、給餌ユニット１４２と置き換え可能な、水草飼育部材１４６およびデコレーション部材１４８をさらに含む。周辺制御装置１４が水草育成部材１４６に置き換えられると、水槽内で水草を育成することができ、周辺制御装置１４がデコレーション部材１４８に置き換えられると、水槽内の景観が造られ水槽に変化をもたらすことができる。またデコレーション部材１４８は山、石、橋等を模したさまざまな装飾物に換えられ、魚が遊んだり隠れたりする空間を提供できる。
【００２６】
水槽の鑑賞性を高めるために、本考案のスマートクラウドインタラクティブアクアリウム装置１０は、水槽に設置される複数のカラー発光素子２０２を備える照明効果装置２０をさらに含む。この照明効果装置２０は電子デバイス４２を利用して発光色、点滅速度、点滅回数およびオン／オフを設定できる。電子デバイス４２が送信したコマンドがクラウドサーバ４０を通じてスマートクラウドインタラクティブアクアリウム装置１０の処理モジュール１６に伝送され、処理モジュール１６により照明効果装置２０の発光および点滅が制御される。
電子デバイス４２がコマンドを発信する方式には、希望の発光効果を直接選ぶ以外にも、音を発して照明効果装置２０の発光をリモートコントロールする方式もある。たとえば、「ピンポン」という音が鳴るとカラー発光素子２０２が発光する。照明効果装置２０は音楽のリズムによって発光色および点滅速度を変化させることもできる。たとえば、電子デバイス４２により音楽を再生し、速いテンポの音楽が再生されるとカラー発光素子２０２の点滅頻度は高くなり、テンポが遅くなると点滅頻度も低くなる。他にも、高音では赤色が発光し、中音では青色が発光し、低音では緑色が発光するなど、飼い主は電子デバイス４２により自由に設定できる。
【００２７】
魚の良好な生活環境を維持し、魚の健康を守るために、スマートクラウドインタラクティブアクアリウム装置１０は水温監視制御装置２２および水質監視装置２４をさらに含む。水温監視制御装置２２は水温を監視して水温データをクラウドサーバ４０に保存するとともに、飼い主に通知することができる。飼い主が水槽の水温状態をいつでもどこでも把握できるように設定したり、水温が異常な時だけ飼い主に通知するように設定したりでき、この部分は飼い主が自由に設定可能である。
また、水温監視制御装置２２は温度制御素子２２２を備え、水温が設定温度ではないとき（または魚が生活できる正常水温ではないとき）、温度制御素子２２２は水温を自動調整して正常な状態に戻す。水質監視装置２４は水槽内の水質状況を監視するのに用いられ、ｐＨ値、溶存酸素量、導電率、残留塩素等の数値をクラウドサーバ４０に保存するとともに、クラウドサーバ４０を通じて遠端にある飼い主の電子デバイス４２に伝送し、飼い主が家の水槽の水質データを随時把握できるようにする。数値が異常なときには、家に帰って水を換えたりその他の処置をとったりする必要がないか飼い主に注意を促す。たとえば、遠端からのリモート操作で水質調整剤を水槽に投入して水質を安定させる処置の場合、給餌ユニット１４２のように、この水質調整剤を投入する装置はコマンドを受信すると水質調整剤を投入できる。
【００２８】
水質監視装置２４が測定した水中の溶存酸素量が過少である場合、数値異常メッセージを送信して処理モジュール１６にエアーポンプの起動を要求し、処理モジュール１６は自動的にエアーポンプ２６を起動し、水槽内に空気を送り込んで溶存酸素量を増加させ、水中の溶存酸素量が正常値に戻ると、処理モジュール１６は水質監視装置２４の要求メッセージを受信しなくなる。または数値が正常値に戻るとエアーポンプ１６を停止するように要求するメッセージを受信した後、エアーポンプ１６の動作は自動停止する。
【００２９】
本考案はさらに仮想背景投影装置２８を提供する。この仮想背景投影装置２８はピコプロジェクタであり、水槽の片側に設置される。飼い主は電子デバイス４２上でネットワークを利用して壁紙画像をダウンロードし、クラウドサーバ４０を通じて水槽側の仮想背景投影装置２８に接続して壁紙画像を伝送し、仮想背景投影装置２８が壁紙画像を受信すると、壁紙画像が水槽の仮想背景投影装置２８に相対する面に投影される。このように水槽の背景画面が形成されることで、水槽の美観が増し、飼い主は気分や好みやインテリアに合わせて壁紙画像を随時変更することができる。
【００３０】
魚を飼う面白さを増大させるため、本考案はさらにレーザー光スポット照射装置３０を提供する。これは電子デバイス４２を利用して起動して水槽上で少なくとも１つのレーザー光スポットを移動させるもので、電子デバイス４２によりレーザー光の照射方向を操作することで、魚と遊び、魚と交流するのに用いられる。
【００３１】
スマートクラウドインタラクティブアクアリウム装置１０はさらに、処理モジュール１６と接続するスマートコンセント差込口３２を設け、たとえば照明装置、エアーポンプ、ヒーター、ムードライトまたはエアレーション機器等の少なくとも１つの外付素子３４をスマートコンセント差込口３２に接続し、クラウドサーバ４０を通じて外付素子３４のオン／オフまたは動作を制御できる。これによりスマートクラウドインタラクティブアクアリウム装置１０の機能性が拡充され、飼い主はすべての機能を遠端からリモートコントロールできるので、とても便利である。
【００３２】
たとえば、飼い主が自分でヒーターを購入してスマートコンセント差込口３２に接続すれば、水温監視装置２２と連動させることができ、測定された水温が低すぎる時は、水温が低すぎる旨が飼い主に通知され、クラウドサーバ４０を通じて遠端制御によりヒーターを起動し、またはスマートコンセント差込口３２（または処理モジュール１６）が自動的にヒーターを起動し、設定温度に戻るまで加熱される。水温監視装置２２が測定した水温が高すぎる時は、スマートコンセント差込口３２はヒーターへの電力供給を直接中断し、水槽の水温が上昇し続けるのを防止する。
【００３３】
スマートクラウドインタラクティブアクアリウム装置１０上にはタップ電源に接続する電源装置３６が設けられ、スマートクラウドインタラクティブアクアリウム装置１０が必要とする電力を供給するのに用いられ、各装置および素子が必要とする電力はすべて電源装置３６から供給される。しかし、停電や電源装置３６の故障等の問題により、電源装置３６が電力を供給できない状況が発生することがある。そのような際は、処理モジュール１６が電源ソースをバックアップ電源システム３８に自動的に切り替えることで、停電時にエアーポンプ２６の動作が停止して魚が酸素不足に陥ったり、給餌時間に給餌ユニット１４２が動作しなかったり、ヒーターへの電力が遮断されて水温異常が発生するなどのさまざまな問題事態が回避される。
【００３４】
図２は本考案のスマートクラウドインタラクティブアクアリウム装置１０の水槽上での実施例を示す図である。
スマートクラウドインタラクティブアクアリウム装置１０は一体化された装置でもいくつかのユニットに分かれたものでもよい。図２の実施例では一体化された装置であり、仮想背景投影装置２８のみが水槽４４の前面に設けられて、壁紙画像を水槽４４の背面に背景として投影できる。スマートクラウドインタラクティブアクアリウム装置１０の下方からは水温監視制御装置２２が延伸して水温を測定し、また水質監視装置２４が延伸して取水し水質検査を行うことも可能である。
【００３５】
上述の記載は本考案の好ましい実施例の説明に過ぎず、本考案の実施範囲を限定するものではない。したがって、本考案の実用新案登録請求の範囲で述べられた特徴および精神に基づいてなされた変更や潤色はすべて、本考案の実用新案登録請求の範囲内に含まれる。
【符号の説明】
【００３６】
１０    スマートクラウドインタラクティブアクアリウム装置
１２    画像取得装置
１４    周辺制御装置
１４２  給餌ユニット
１４３  発光素子
１４４  湿度測定加熱素子
１４５  幼魚飼育ボックス
１４６  水草育成部材
１４８  デコレーション部材
１６    処理モジュール
１８    無線通信モジュール
２０    照明効果装置
２０２  カラー発光素子
２２    水温監視制御装置
２２２  温度制御素子
２４    水質監視装置
２６    エアーポンプ
２８    仮想背景投影装置
３０    レーザー光スポット照射装置
３２    スマートコンセント差込口
３４    外付素子
３６    電源装置
３８    バックアップ電源システム
４０    クラウドサーバ
４２    電子デバイス
４４    水槽
【図１】
0003202317.tif 000003
【図２】
0003202317.tif 000004